(57)【特許請求の範囲】
【請求項１】
内線番号のみの着番号形態で発信処理を行う第１交換機、及び局番と内線番号との着番号形態で発信処理を行う第２交換機を収容接続可能で、通信網を用いて他交換機または他の電話機との間の呼を中継する呼中継装置であって、
着番号の先頭桁の数値と該着番号の桁数との対応を記憶する記憶手段と、
前記収容接続した交換機より、前記着番号を構成する各番号を順次受け付ける番号受付手段と、
前記記憶手段に記憶されている着番号の先頭桁の数値と着番号の桁数の対応を用いて、前記番号受付手段で受け付けた先頭の番号から、当該受け付ける着番号の桁数を特定する着番号桁数特定手段と、
前記着番号桁数特定手段が特定した桁数を受け付けた時点で、発呼先を特定し、且つ、前記第１交換機を収容接続し、該第１交換機が発信処理した場合、該時点までに受け付けた着番号の先頭に、該着番号の先頭桁の数値に対応する局番を付与して、これを着番号として前記通信網に対して発呼を行い、前記第２交換機を収容接続し、該第２交換機が発信処理した場合、前記通信網に対して、該時点までに受け付けた着番号による発呼を行う発呼手段と、
を有することを特徴とする呼中継装置。
【請求項２】
請求項１に記載の呼中継装置であって、
前記番号受付手段で受け付けた着番号が、前記着番号桁数特定手段が特定した桁数に合致しているかを判定する番号判定手段と、
前記番号判定手段が前記桁数に合致していないと判定した場合に、話中処理を行う話中処理手段と、
を有することを特徴とする呼中継装置。
【発明の詳細な説明】
【技術分野】
【０００１】
本発明は、通信網を用いて通信設備間の呼を中継する技術に関する。
【背景技術】
【０００２】
従来より、遠隔配置された複数のPBXを、通信網を用いてPBX間の呼を中継する呼中継装置を用いて接続することにより、各PBXが収容する端末間の呼を可能とする通信システムの構築が行われている。
【０００３】
このような通信システムでは、各PBXは、通信網が呼の処理に用いる番号体系にしたがった発番号や着番号により発呼や着呼を処理している。
【発明の開示】
【発明が解決しようとする課題】
【０００４】
しかしながら、たとえば、既存のPBXを呼中継装置で接続して通信システムを構築したい場合、この既存のPBXが、通信網が呼の処理に用いる番号体系にしたがった発番号や着番号により、発呼や着呼を処理できないことがある。このような場合、通信システムを構築できない。
【０００５】
そこで、本発明は、通信網が呼の処理に用いる番号体系にしたがった発番号や着番号により、発呼や着呼を処理できない通信設備であっても、これを、通信網を用いて呼の中継を行う呼中継装置により複数の通信設備が接続されて構築された通信システムに、収容できるようにすることを課題とする。
【課題を解決するための手段】
【０００８】
前記課題を達成するために、本発明は、内線番号のみの着番号形態で発信処理を行う第１交換機、及び局番と内線番号との着番号形態で発信処理を行う第２交換機を収容接続可能で、通信網を用いて他交換機または他の電話機との間の呼を中継する呼中継装置であって、
着番号の先頭桁の数値と該着番号の桁数との対応を記憶する記憶手段と、前記収容接続した交換機より、前記着番号を構成する各番号を順次受け付ける番号受付手段と、前記記憶手段に記憶されている着番号の先頭桁の数値と着番号の桁数の対応を用いて、前記番号受付手段で受け付けた先頭の番号から、当該受け付ける着番号の桁数を特定する着番号桁数特定手段と、前記着番号桁数特定手段が特定した桁数を受け付けた時点で、発呼先を特定し、且つ、前記第１交換機を収容接続し、該第１交換機が発信処理した場合、該時点までに受け付けた着番号の先頭に、該着番号の先頭桁の数値に対応する局番を付与して、これを着番号として前記通信網に対して発呼を行い、前記第２交換機を収容接続し、該第２交換機が発信処理した場合、前記通信網に対して発呼を行い、前記第２交換機が前記発信処理を行った場合、前記通信網に対して、該時点までに受け付けた着番号による発呼を行う発呼手段と、を有することを特徴とする。
【発明を実施するための最良の形態】
【００１６】
以下、本発明の一実施形態について説明する。
【００１７】
図１に、本発明の位置実施形態に係る通信システムの構成を示す。
【００１８】
図中、符号1はATM多重化装置、符号2はPBX、そして、符号3は、ATM スイッチを含むATM網である。
【００１９】
このような構成において、PBX2は、自身が収容する端末4から、他のPBX2に収容された端末4宛ての発呼があると、この呼を自身に接続したATM多重化装置1に中継する。ATM多重化装置1は、中継された呼を、呼の宛先の端末4が収容されたPBX2に接続された他のATM多重化装置１に、ATM網3を介して中継する。
【００２０】
一方、呼をATM網3から中継されたATM多重化装置1は、この呼を、呼の宛先の端末4が収容されたPBX2に中継する。呼を中継されたPBX2は、この呼を呼の宛先の端末4に中継する。
【００２１】
次に、図２に、図１に示すATM多重化装置1の構成を示す。
【００２２】
図中、符号6はメモリ部、符号7は主制御部、符号8はSVC制御部、符号9はSAR制御部、符号10は音声回線インタフェース部、そして、符号11は、中継回線インタフェース部である。
【００２３】
ここで、メモリ部6には、予め、後に詳述する番号計画情報と番号編集条件が記憶されている。主制御部7は、ATM多重化装置1が起動すると、このメモリ部6に記憶されている番号計画情報と番号編集条件を、各音声回線インタフェース部10に設定する。
【００２４】
以下、このようなATM多重化装置1の動作について図３を用いて説明する。
【００２５】
まず、ATM多重化装置1がATM網3へ発呼する側となる場合の動作について、説明する。
【００２６】
この場合、PBX2は、収容した端末4から発呼要求と着番号の指定があると、ATM多重化装置1に発信要求と着番号を送る。ATM多重化装置1において、音声回線インタフェース部10は、PBX2から発信要求を受け取ると、呼の着番号が番号計画情報が示す番号計画に合致しているかどうかを調べる（番号判定）。そして、合致していない場合には、話中をPBX2に返し、呼の解放を待つ。一方、呼の着番号が、番号計画情報が示す番号計画に合致している場合には、番号編集条件にしたがって着番号への番号桁の削除や番号の付加などの番号編集を行い、番号編集した着番号を含めたSETUPメッセージを作成して、SVC制御部8に送る。
【００２７】
ここで、PBX2とのインタフェース信号の形式がOD形式である場合、すなわち、順次、着番号の桁が送られる形式である場合には、以上の番号編集と、SETUPメッセージの作成を、番号計画情報にしたがって定まる有効桁数をPBX2から得られた時点で即時実行する（即時発信）。なお、着番号が、番号計画情報が示す番号計画に合致しているかどうかのチェックは、PBX2とのインタフェース信号の形式がOD形式である場合には、各桁が得られる度に逐次行うようにするのがよい。
【００２８】
以上の、番号判定や番号編集や即時発信については、後に再度詳述する。
【００２９】
さて、SETUPメッセージを受け取ったSVC制御部8は、ATM網3に発呼し、着番号の端末4を収容したPBX2が接続された他のATM多重化装置1との間に設定されたVP/VCを接続する。
【００３０】
具体的には、SVC制御部8は、ATM網3とATMセルの送受を行う中継回線インタフェース部11と、AAL5にしたがったメッセージのセル化・デセル化を行うSAR制御部9を介して、ATMフォーラム制定のUNI4.0に準拠したシグナリング用のメッセージ情報をATM網3と交換するシグナリング制御、すなわち、ATM網3との間で、図３に示すSETUPメッセージの送信、CALL PROCメッセージの受信、ALARTメッセージの受信、CONECTメッセージの受信、CONNECT ACKメッセージの送信を行って、VP/VCを接続する。
【００３１】
そして、SVC制御部8は、VP/VCを接続したならば、接続を音声回線インタフェース部10に通知する。接続を通知された音声回線インタフェース部10は、PBX2に接続を通知する。そして、その後、音声回線インタフェース部10と中継回線インタフェース部11は、接続したVP/VCとPBX2間の音声情報の中継を行う。
【００３２】
なお、音声回線インタフェース部１０は、以上のシグナリング制御中において、ALARTメッセージの受信からCONECTメッセージの受信までの間、接続を通知されたPBX2からのリングバックトーンを通すことにより、PBX2に呼出中を通知する。
【００３３】
次に、ATM多重化装置1がATM網3から着呼する側となる場合の動作について、説明する。
【００３４】
すなわち、中継回線インタフェース部11とSAR制御部9を介して、ATM網3からSETUPメッセージによる着呼を受けたSVC制御部8は、中継回線インタフェース部11とSAR制御部9を介して、図３に示すように、CALL PROCメッセージとALARTメッセージを、ATM網3に送信するシグナリング制御を行う。また、着呼した呼の着番号の端末4を収容するPBX2に接続する音声回線インタフェース部10を、着番号に含まれる後述するPBX2の局番より求め、これに着呼を通知する。着呼を通知されたSVC制御部8は、その呼の着番号に対して番号編集条件にしたがって番号桁の削除や番号の付加などの番号編集を行い、音声回線インタフェース部１０に着呼を通知する。この番号編集については後述する。
【００３５】
さて、音声回線インタフェース部10は、番号編集後の着番号と共に、着信通知をPBX2に送る。PBX2は、着番号より定まる後述する内線番号の端末4を呼出し、応答があれば、ATM多重化装置1に応答を通知する。一方、ATM多重化装置1の音声回線インタフェース部10は、PBX2より応答があったならば、その応答をSVC制御部8に伝える。応答を通知されたSVC制御部8は、中継回線インタフェース部11とSAR制御部9を介して、図３に示すように、ATM網3との間で、CONECTメッセージを送信しCONNECT ACKメッセージを受信するシグナリング制御を行い、発呼したATM多重化装置１との間に設定されたVP／VCを接続する。
【００３６】
以降、音声回線インタフェース部10と中継回線インタフェース部11は、接続したVP/VCとPBX2間の音声情報の中継を行う。
【００３７】
ATM多重化装置1の、以上のATM網3への発呼側の動作とATM網3からの着呼側の動作により、PBX2間の呼が確立し通話が可能となる。
【００３８】
次に、このようにして確立した呼の切断解放時の、切断側のATM多重化装置1の動作について説明する。
【００３９】
PBX2より呼の解放が通知されたならば、音声回線インタフェース部10は、解放をSVC制御部8に通知する。解放を通知されたSVC制御部8は、中継回線インタフェース部11とSAR制御部9を介して、図３に示すように、ATM網3との間で、RELEASEメッセージの送信とREL COMPメッセージの受信を行い、接続したVP/VCを解放する。
【００４０】
次に、このようにして確立した呼の切断解放時の、被切断側のATM多重化装置1の動作について説明する。
【００４１】
ATM網3からRELEASEメッセージを受けたSVC制御部8は、音声回線インタフェース部10に解放を通知する。解放を通知された音声回線インタフェース部10は、解放をPBX2に送る。そして、SVC制御部8は、中継回線インタフェース部11とSAR制御部9を介して、図３に示すように、ATM網3にREL COMPメッセージを送信し、接続したVP/VCを解放する。
【００４２】
ところで、以上の各動作に際して、SVC制御部8は、ATM網3との間のシグナリング手順のログを、主制御部7を介してメモリ部6に蓄積する。なお、このメモリ部6に蓄積されたログは、主制御部7を介して外部に読み出すことができる。
【００４３】
さて、このログとして、SVC制御部8は、ATM網3と送受した各メッセージ中の情報、メッセージの送受時刻を、各呼毎に蓄積する。
【００４４】
より具体的には、図４の呼制御開始を示すSETUPメッセージの送受時刻、SETUPメッセージ中のAALパラメータに含まれる使用帯域PCR/SCRおよび着番号（着サブアドレスを含む）、発番号（発サブアドレスを含む）、SETUPメッセージ又はCALL PROCメッセージ中のコネクション識別子に含まれる使用VPCI/VCI、RELEASEメッセージ中の呼の切断の正常/輻輳などの理由を示す理由表示、REL COMPメッセージ中の呼の切断の正常/輻輳などの理由を示す理由表示、呼制御終了などを示すREL COMPメッセージの送受時刻などを、ログとして蓄積する。
【００４５】
なお、ATM多重化装置1は、たとえば、SETUPメッセージ中の発番号には、発信要求したPBX2から、発呼した端末4の後述する内線番号を得られるときには、この内線番号と発信要求したPBX2の後述する局番を記述する。発信要求したPBX2から、発呼した端末4の後述する内線番号を得られないときには、発信要求したPBX2の局番のみを記述する。
【００４６】
以下、前述した番号計画情報、番号編集条件、番号判定、番号編集、即時発信について説明する。
【００４７】
まず、番号計画情報と、番号判定と即時発信について説明する。
【００４８】
いま、図１に示すように、通信システム上の局番40〜80のPBX2が存在し、局番40のPBX2が収容する端末4には２を先頭とする３桁の内線番号が与えられ、局番50のPBX2が収容する端末4には３を先頭とする５桁の内線番号が与えられ、局番60のPBX2が収容する端末4には４を先頭とする３桁の内線番号が与えられ、局番70のPBX2が収容する端末4には５を先頭とする４桁の内線番号が与えられ、そして、局番80のPBX2が収容する端末4には６を先頭とする３桁の内線番号が与えられている場合を例にとる。
【００４９】
また、ATM網3は、呼制御の着番号として局番＋内線番号を用いるものとする。たとえば、局番40のPBX2に収容された内線番号201の端末4の、ATM網2上の着番号は、40-201となる。
【００５０】
また、PBX2は、PBX2毎に、内線番号のみか、あるいは、局番＋内線番号により、自PBX2が接続するATM多重化装置1との間で着番号をやりとりを行うものとする。
【００５１】
すなわち、１部のPBX2は、ATM網3上の番号体系である局番＋内線番号の体系ではなく、内線番号のみの着番号の体系でしか発呼や着呼を処理できないものとする。たとえば、局番50のPBX2に接続したATM多重化装置（B)1は、発呼時に、局番40のPBX2に収容された内線番号201の端末4の着番号として、番号40-201をPBX2から受け付けるのに対して、局番60のPBX2に接続したATM多重化装置(C)1は、発呼時に、局番40のPBX2に収容された内線番号201の端末4の着番号として、番号201のみを受け付けるものとする。また、たとえば、局番70のPBX3は、着呼時に、収容する内線番号5001の端末4の着番号として、番号70-5001を、ATM多重化装置(D)1から受け付けるのに対して、局番40のPBX2は、着呼時に、内線番号201の端末4の着番号として、番号201のみをATM多重化装置(A)1から受け付けるものとする。
【００５２】
この場合、番号計画情報としては、各内線番号毎に、内線番号の先頭桁の数値と当該内線番号の桁数とを示す情報を用意する。たとえば、先頭が2であれば桁数は3、先頭が3であれば桁数は5となる。また、番号計画情報には、PBX2から通知される着番号のうち、どの部分が内線番号の先頭桁となるかの情報も含める。
【００５３】
なお、通知される着番号のうち、どの部分が内線番号の先頭桁となるかは、ATM多重化装置1が、自身に接続されたPBX2より、着番号の指定を内線番号のみで受け入れるのか、それとも、局番＋内線番号によって受け入れるのかによって一義的に定まる。また、番号計画情報には、通信システム内の局番、内線番号、および、局番と内線番号の組み合わせの取り得る範囲の情報を含めておく。
【００５４】
そして、即時発信では、自身に接続されたPBX2から通知された着番号のうち、番号計画情報によって特定される内線番号の先頭桁の数値に応じて定まる桁数分の内線番号を、自身に接続されたPBX2から受け取った時点で、着番号を受け入れは終了したものとし、即時、前述した番号編集とSETUPメッセージの作成送信を行う。
【００５５】
また、番号判定では、番号計画情報が示す通信システム内の局番、内線番号、および、局番と内線番号の組み合わせの取り得る範囲外の着番号が、自身に接続されたPBX2より指定された場合に、着番号が番号計画情報が示す番号計画に合致していないと判定する。
【００５６】
次に、番号編集条件は、ATM網3上の番号体系である局番＋内線番号の体系ではなく、内線番号のみの着番号の体系でしか発呼や着呼を処理できないPBX2を収容するATM多重化装置1に対して設定する。
【００５７】
番号編集条件として、自ATM多重化装置1が収容するPBX2のうち、発呼時に、着番号として、内線番号のみの着番号しか自ATM多重化装置1に送れないPBX2については、内線番号の先頭桁の数値とその数値を先頭桁に持つ内線番号を有する端末4を収容するPBX2の局番との対応情報を用意する。また、自ATM多重化装置1が収容するPBX2のうち、着呼時に、着番号として、内線番号のみの着番号しか自ATM多重化装置1から受け入れないPBX2については、局番の桁数のみの情報を用意する。
【００５８】
そして、番号編集では、発呼時に、着番号として、内線番号のみの着番号しか自ATM多重化装置1に送れないPBX2については、そのPBX2から受け取った内線番号に、その先頭桁の数値に対応する局番を先頭に付加する処理を行う。また、着呼時に、着番号として、内線番号のみの着番号しか自ATM多重化装置１から受け入れないPBX2については、そのPBX2に送る着番号を、ATM網3から受け取った着番号の先頭桁から局番の桁数分の桁を削除する処理を行う。
【００５９】
たとえば、先程の例では、局番60のPBX2に接続したATM多重化装置(C)1は、発呼時に、局番40のPBX2に収容された内線番号201の端末4の着番号として、番号201のみを局番60のPBX2より受け付けた場合、これに局番40を付加して、着番号を40-201に編集し、それから、ATM網３へ発呼する。また、局番40のPBX2に接続したATM多重化装置(A)1は、着呼時に、ATM網3から着呼した呼の着番号40-201から、局番40を削除して、内線番号201のみの着番号に編集し、それから、局番40のPBX2に送る。
【００６０】
以上、本発明の実施形態について説明した。
【００６１】
なお、以上の番号編集処理において、前述した番号の付加や削除以外の番号の付加や削除等を行うようにしてもよい。
【００６２】
たとえば、ATM網3上の番号体系が局番３桁である場合に、あるPBX2が局番２桁の番号体系でしか処理を行えない場合、当該PBX2と送受する局番に、１桁たとえば０の付加/削除を行うようにしてもよい。
【００６３】
あるいは、特別なATM網3のサービスを必要とする種類の呼について、ATM網3上でそのサービスが実行されることになる番号が局番を持つように、局番の付加/削除もしくは変更を行うようにしてもよい。
【００６４】
さらには、ATM網3上でのATM多重化装置1の番号が、PBX2の局番と無関係に定められているときには、局番より定まるATM多重化装置1のATM網3上の番号を、着番号として、付加/削除するようにしてもよい。
【００６５】
また、以上の実施形態において、ATM多重化装置1に電話端末を接続するようにしてもよい。この場合の電話端末に対するATM多重化装置1の動作は、上述したPBX2に対するものとほぼ同様である。ただし、電話端末には、特に着番号を通知しないようにしてもかまわない。
【００６６】
以上のように、本実施形態によれば、番号編集によってPBX2と送受する着番号を、ATM網3上ではATM網3の番号体系に合致するように編集する。したがって、ATM網3の番号体系に合致する着番号によって発呼や着呼を処理できないPBX2であっても、通信システムに収容することができる。
【００６７】
また、実行した各呼についてログを蓄積するので、これにより通信システム上で発生した問題の原因追究を支援することができるようになる。
【図面の簡単な説明】
【００６８】
【図１】本発明の一実施形態に係る通信システムの構成を示すブロック図である。
【図２】本発明の一実施形態に係るATM多重化装置の構成を示すブロック図である。
【図３】本発明の一実施形態に係る通信システムの通信シーケンスを示す図である。
【図４】ATM網のシグナリング手順に用い射るメッセージを示す図である。
【符号の説明】
【００６９】
1…ATM多重化装置
2…PBX
3…ATM網
6…メモリ部
7…主制御部
8…SVC制御部
9…SAR制御部
10…音声回線インタフェース部
11…中継回線インタフェース部
【図１】
0004392451.tif 000002
【図２】
0004392451.tif 000003
【図３】
0004392451.tif 000004
【図４】
0004392451.tif 000005